(57)【要約】【課題】簡易な構成により多層光ディスクにおける層間迷光の影響を排除し得るようにする。【解決手段】光ディスク装置１は、偏光回折素子１３により＋１次光ビームＬ２Ｂ及び−１次光ビームＬ２Ｃと０次光ビームＬ２Ａとの偏光方向を互いに相違させて反射＋１次光ビームＬ３Ｂ及び反射−１次光ビームＬ３Ｃと迷光ビームＬ４との偏光方向を互いに相違させることにより、受光領域２０Ｂ及び２０Ｃにおける＋１次光スポットＱＢ又は−１次光スポットＱＣと迷光パターンＲとによる干渉縞の発生を未然に防止することができ、迷光パターンＲの影響が排除され＋１次光スポットＱＢ及び−１次光スポットＱＣの光量が高精度に反映されたた検出信号ＳＤを生成することができ、高精度なフォーカス制御及びトラッキング制御を行うことができる。【選択図】        図２
2008257814.tif 000002
【特許請求の範囲】
【請求項１】
所定の光源から出射された光ビームの一部を回折させることにより１次光ビームを生成すると共に、上記光ビームにおける他の部分をそのまま直進させることにより０次光ビームとする回折素子と、
上記０次光ビーム及び上記１次光ビームを集光し所定の光ディスクに設けられた所定の信号記録層に合焦させる対物レンズと、
上記０次光ビーム及び上記１次光ビームが上記信号記録層においてそれぞれ反射されてなる反射０次光ビーム及び反射１次光ビームを、同一面上に形成された０次光受光領域及び１次光受光領域によりそれぞれ受光し、その上記受光結果を所定の位置制御部へ供給することにより上記対物レンズの位置制御を行わせる受光部と
を具え、
上記回折素子は、
上記光ビームのうち所定の偏光成分を回折させず直進させて上記０次光ビームとすると共に、他の偏光成分を回折させて上記１次光ビームを生成することにより、上記０次光ビームが上記光ディスクにおける他の信号記録層において反射されてなる迷光ビームと上記反射１次光ビームとの偏光方向を相違させる
ことを特徴とする光ピックアップ。
【請求項２】
上記光源から出射された光ビームの偏光方向を調整し上記回折素子へ入射させる偏光方向調整素子
を具えることを特徴とする請求項１に記載の光ピックアップ。
【請求項３】
上記回折素子は、
上記光ビームにおける上記一部を回折させることにより＋１次光ビーム及び−１次光ビームを生成する
ことを特徴とする請求項１に記載の光ピックアップ。
【請求項４】
上記受光部は、
上記＋１次光受光領域及び上記−１次光受光領域がそれぞれ所定数の分割受光領域に分割され、各分割受光領域におけるそれぞれの受光結果を所定の制御部へ供給することにより、当該制御部に対して当該受光結果を用いた所定の演算処理が行わせ、その演算結果を基に上記対物レンズの上記位置制御を行わせる
ことを特徴とする請求項１に記載の光ピックアップ。
【請求項５】
所定の光源から出射された光ビームの一部を回折させることにより１次光ビームを生成すると共に、上記光ビームにおける他の部分をそのまま直進させることにより０次光ビームとする回折素子と、
上記０次光ビーム及び上記１次光ビームを集光し所定の光ディスクに設けられた所定の信号記録層に合焦させる対物レンズと、
上記０次光ビーム及び上記１次光ビームが上記信号記録層においてそれぞれ反射されてなる反射０次光ビーム及び反射１次光ビームを、同一面上に形成された０次光受光領域及び１次光受光領域によりそれぞれ受光する受光部と
上記受光結果を基に上記対物レンズの位置制御を行う位置制御手段と
を具え、
上記回折素子は、
上記光ビームのうち所定の偏光成分を回折させず直進させて上記０次光ビームを生成すると共に、他の偏光成分を回折させて上記１次光ビームを生成することにより、上記０次光ビームが上記光ディスクにおける他の信号記録層において反射されてなる迷光ビームと上記反射１次光ビームとの偏光方向を相違させる
ことを特徴とする光ディスク装置。
【請求項６】
上記受光部の上記１次光受光領域は、
所定数の分割受光領域に分割され、
上記位置制御手段は、
上記分割受光領域におけるそれぞれの受光結果を用いて所定の演算処理を行い、その演算結果を基に上記対物レンズの上記位置制御を行う
ことを特徴とする請求項５に記載の光ディスク装置。
【発明の詳細な説明】
【技術分野】
【０００１】
本発明は、光ピックアップ及び光ディスク装置に関し、例えばＢＤ（Blu-ray Disc、登録商標）方式に対応した光ディスク装置に適用して好適なものである。
【背景技術】
【０００２】
従来、光ディスク装置においては、情報記録媒体としての光ディスクに対して音楽コンテンツや映像コンテンツ、或いはアプリケーションプログラムや各種データ等の情報を記録し、またかかる情報を読み出し再生し得るようになされたものが広く普及している。
【０００３】
特に近年では、波長が約４０５［ｎｍ］の青色レーザ光を用いるＢＤ方式に対応した光ディスク装置が実用化されている。ＢＤ方式では、従来のＣＤ（Compact Disc）方式やＤＶＤ（Digital Versatile Disc）方式等と比較して、格段に短い波長のレーザ光を用いていることから、同等のディスク径でなるＣＤやＤＶＤ等よりも大きな記録容量を有している。
【０００４】
またＢＤ方式では、ＤＶＤ方式と同様に、情報を記録する記録層が複数重ねて設けられた多層光ディスクも規定されている。この多層光ディスクでは、各記録層における光ビームの反射率が調整されることにより、各記録層に対して光ビームの一部を到達させ得るようになされている。
【０００５】
光ディスク装置は、多層光ディスクに対して情報を記録し、また多層光ディスクから情報を再生する際、所望の記録層に対して光ビームを合焦させ、その反射光を所定の受光素子により検出する。そして光ディスク装置は、このときの受光結果を用いた所定の演算処理等により、記録されている情報そのものを表す再生ＲＦ信号や、光ビームを所望の記録層における所望のトラックに合焦させるためのフォーカスエラー信号及びトラッキングエラー信号等を生成するようになされている。
【０００６】
ここで、光ディスク装置では、多層光ディスクに対して照射した光ビームの一部が所望の記録層と異なる他の記録層において反射した、いわゆる層間迷光が受光素子に照射されてしまい、再生ＲＦ信号、フォーカスエラー信号及びトラッキングエラー信号等を正しく生成し得ない可能性があった。
【０００７】
そこで光ディスク装置の中には、光ビームを所望の記録層及び他の記録層の双方に対して同時に照射し、他の記録層における反射光を基に得られる検出信号を用いて、所望の記録層に照射した光ビームの反射光を基に得られる検出信号を補正することにより、迷光の影響を除去するようになされたものが提案されている（例えば、特許文献１参照）。
【特許文献１】特開２００６−３３８７８２公報
【発明の開示】
【発明が解決しようとする課題】
【０００８】
しかしながら、かかる構成の光ディスク装置は、一般的な構成の光ディスク装置と比較して構成が複雑になってしまい、また演算処理等も必要になってしまうという問題があった。
【０００９】
本発明は以上の点を考慮してなされたもので、簡易な構成により多層光ディスクにおける層間迷光の影響を排除し得る光ピックアップ及び光ディスク装置を提案しようとするものである。
【課題を解決するための手段】
【００１０】
かかる課題を解決するため本発明の光ピックアップにおいては、所定の光源から出射された光ビームの一部を回折させることにより１次光ビームを生成すると共に、光ビームにおける他の部分をそのまま直進させることにより０次光ビームとする回折素子と、０次光ビーム及び１次光ビームを集光し所定の光ディスクに設けられた所定の信号記録層に合焦させる対物レンズと、０次光ビーム及び１次光ビームが信号記録層においてそれぞれ反射されてなる反射０次光ビーム及び反射１次光ビームを、同一面上に形成された０次光受光領域及び１次光受光領域によりそれぞれ受光し、その受光結果を所定の位置制御部へ供給することにより対物レンズの位置制御を行わせる受光部とを設け、回折素子は、光ビームのうち所定の偏光成分を回折させず直進させて０次光ビームとすると共に、他の偏光成分を回折させて１次光ビームを生成することにより、０次光ビームが光ディスクにおける他の信号記録層において反射されてなる迷光ビームと反射１次光ビームとの偏光方向を相違させるようにした。
【００１１】
これにより、１次光受光領域における迷光ビームと反射１次光ビームとの干渉を防止することができ、受光部において反射１次光ビームを干渉が生じない状態で受光することができる。
【００１２】
また本発明の光ディスク装置においては、所定の光源から出射された光ビームの一部を回折させることにより１次光ビームを生成すると共に、光ビームにおける他の部分をそのまま直進させることにより０次光ビームとする回折素子と、０次光ビーム及び１次光ビームを集光し所定の光ディスクに設けられた所定の信号記録層に合焦させる対物レンズと、０次光ビーム及び１次光ビームが信号記録層においてそれぞれ反射されてなる反射０次光ビーム及び反射１次光ビームを、同一面上に形成された０次光受光領域及び１次光受光領域によりそれぞれ受光する受光部と受光結果を基に対物レンズの位置制御を行う位置制御手段とを設け、回折素子は、光ビームのうち所定の偏光成分を回折させず直進させて０次光ビームを生成すると共に、他の偏光成分を回折させて１次光ビームを生成することにより、０次光ビームが光ディスクにおける他の信号記録層において反射されてなる迷光ビームと反射１次光ビームとの偏光方向を相違させるようにした。
【００１３】
これにより、１次光受光領域における迷光ビームと反射１次光ビームとの干渉を防止することができ、受光部において反射１次光ビームを干渉が生じない状態で受光することができる。
【発明の効果】
【００１４】
本発明によれば、１次光受光領域における迷光ビームと反射１次光ビームとの干渉を防止することができ、受光部において反射１次光ビームを干渉が生じない状態で受光することができるので、かくして簡易な構成により多層光ディスクにおける層間迷光の影響を排除し得る光ピックアップ及び光ディスク装置を実現できる。
【発明を実施するための最良の形態】
【００１５】
以下、図面について、本発明の一実施の形態を詳述する。
【００１６】
（１）光ディスク装置の全体構成
図１において、光ディスク装置１は、制御部２を中心に構成されており、ＢＤ（Blu-ray Disc、登録商標）方式の光ディスク１００に対して情報を記録し、また当該光ディスク１００から当該情報を再生し得るようになされている。
【００１７】
制御部２は、図示しないＣＰＵ(Central Processing Unit)と、各種プログラムなどが格納されるＲＯＭ(Read Only Memory)と、当該ＣＰＵのワークメモリとして用いられるＲＡＭ(Random Access Memory)とによって構成されており、光ディスク装置１を統括制御するようになされている。
【００１８】
すなわち制御部２は、駆動部３を介してスピンドルモータ５を回転駆動させ、ターンテーブル（図示せず）に載置された光ディスク１００を所望の速度で回転させる。また制御部２は、駆動部３を介してスレッドモータ６を駆動させることにより、図２に示すように、移動軸Ｇ１及びＧ２に沿って光ピックアップ７を光ディスク１００の内周側又は外周側へ向かう方向であるトラッキング方向に大きく移動させる。
【００１９】
以下では、説明の便宜上、光ディスク１００の内周側又は外周側へ向かうトラッキング方向をラジアル方向、このラジアル方向と直交する方向をタンジェンシャル方向とも呼ぶ。
【００２０】
さらに制御部２は、駆動部３（図１）を介して２軸アクチュエータ８を駆動制御することにより、対物レンズ９を光ディスク１００に近接又は離隔させるフォーカス方向に移動させ、またトラッキング方向に細かく移動させる。
【００２１】
制御部２は、このように光ピックアップ７における対物レンズ９の位置を制御すると共に光ディスク１００に対し光ビームを照射し、その反射光を検出することにより、情報の再生処理及び記録処理を行うようになされている。
【００２２】
（２）光ピックアップの構成
光ピックアップ７は、図２に示すように、レーザダイオード１１やフォトディテクタ２０等の複数の光学部品を有しており、制御部２（図１）の制御に基づき、光ディスク１００へ光ビームを照射し、またその反射光ビームを検出するようになされている。
【００２３】
例えば制御部２は、光ディスク１００が装填された状態で、当該光ディスク１００に記録されている情報を再生する再生命令を外部機器（図示せず）から受け付けた場合、駆動部３を介して、所定の再生制御信号を光ピックアップ７へ供給する。
【００２４】
これに応じて光ピックアップ７（図２）は、レーザダイオード１１から所定の光量でなる波長４０５［ｎｍ］のレーザ光を光ビームＬ１として出射させ、１／２波長板１２へ入射させる。因みに光ビームＬ１は、レーザダイオード１１の特性により、所定方向を偏光方向とする直線偏光となる。
【００２５】
偏光方向調整素子としての１／２波長板１２は、光ビームＬ１における偏光方向を所定角度回転させることによりその偏光方向を調整し、偏光回折素子１３へ入射させる。これにより光ビームＬ１は、例えば８０％の割合でｐ偏光成分が含まれ、残りの２０％の割合でｓ偏光成分が含まれることになる。
【００２６】
偏光光学素子１３は、図３に示すように、全体として薄い板状に構成されており、板状の基板１３Ａにおける一面に直方体状の格子部１３Ｂが所定間隔ごとにほぼ平行に配置され、さらにコート層１３Ｃにより覆われたような構成を有している。
【００２７】
ここで基板１３Ａは透明なガラス等により構成され、格子部１３Ｂは複屈折性を有する材料により構成されている。またコート層１３Ｃは、透明な樹脂材料により構成され、格子部１３Ｂ同士の隙間を埋めるようになされている。
【００２８】
格子部１３Ｂは、複屈折性により、透過する光ビームの偏光方向に応じて光学的な長さ（光路長）を変化させることになる。一方、コート層１３Ｃは、いわゆる等方性を有しており、透過する光ビームの偏光方向により光学的な長さが変化することはない。
【００２９】
また偏光光学素子１３は、光ビームＬ１の一部が格子部１３Ｂを透過した場合と当該格子部１３Ｂどうしの隙間部分を通過した場合とにおいて、ｐ偏光の光ビームについては光路差（又は位相差）を生じさせないものの、ｓ偏光の光ビームについては所定の光路差（又は位相差）を生じさせるよう、当該格子部１３Ｂの厚さｄ１が調整されている。
【００３０】
すなわち偏光光学素子１３は、ｐ偏光の光ビームに対しては何ら光学的な作用を施すことがないものの、ｓ偏光の光ビームに対しては回折格子として作用することになる。
【００３１】
このため偏光光学素子１３は、図４に示すように、光ビームＬ１のうちｐ偏光成分をそのまま直進させて０次光ビームＬ２Ａとし、当該光ビームＬ１のうちｓ偏光成分を回折させて＋１次光ビームＬ２Ｂ及び−１次光ビームＬ２Ｃとする。
【００３２】
このように偏光光学素子１３は、光ビームＬ１をその偏光成分に応じて回折することにより、ｐ偏光でなる０次光ビームＬ２Ａと、ｓ偏光でなる＋１次光ビームＬ２Ｂ及び−１次光ビームＬ２Ｃとに分光し、それぞれ無偏光ビームスプリッタ１４へ入射させるようになされている。
【００３３】
以下では、説明の便宜上、０次光ビームＬ２Ａ、＋１次光ビームＬ２Ｂ及び−１次光ビームＬ２Ｃをまとめて光ビームＬ２と呼ぶ。
【００３４】
無偏光ビームスプリッタ１４は、光ビームを所定の割合で反射又は透過させる反射透過面１４Ｓを有しており、当該反射透過面１４Ｓにより光ビームＬ２の一部を透過し、コリメータ１５へ入射させる。
【００３５】
コリメータ１５は、光ビームＬ２を発散光から平行光に変換し、立上ミラー１６により反射させた上で、１／４波長板１７へ入射させる。
【００３６】
１／４波長板１７は、光ビームの偏光状態を直線偏光から円偏光へ、又は円偏光から直線偏光へ変換するようになされており、例えばｐ偏光でなる０次光ビームＬ２Ａを左円偏光に変換すると共に、ｓ偏光でなる＋１次光ビームＬ２Ｂ及び−１次光ビームＬ２Ｃをいずれも右円偏光に変換し、対物レンズ９へ入射させる。
【００３７】
対物レンズ９は、光ビームＬ２（すなわち０次光ビームＬ２Ａ、＋１次光ビームＬ２Ｂ及び−１次光ビームＬ２Ｃ）を集光し、光ディスク１００の記録層１００Ｓ１に照射する。
【００３８】
このとき光ディスク１００の信号記録層１００Ｓ１には、図５に拡大図を示すように、０次光ビームＬ２ＡによるスポットＰＡ、＋１次光ビームＬ２ＢによるスポットＰＢ及び−１次光ビームＬ２ＣによるスポットＰＣが形成される。
【００３９】
因みに光ピックアップ７は、各光学部品の配置が調整されていることにより、スポットＰＡがトラックＴ１上に照射されるとき、当該トラックＴ１に隣接するグルーブＧ１及びＧ２にスポットＰＢ及びＰＣがそれぞれ照射されるようになされている。
【００４０】
ここで図６に示すように、０次光ビームＬ２Ａ、＋１次光ビームＬ２Ｂ及び−１次光ビームＬ２Ｃは、それぞれ信号記録層１００Ｓ１において反射されることにより、反射０次光ビームＬ３Ａ、反射＋１次光ビームＬ３Ｂ及び反射−１次光ビームＬ３Ｃとなり、それぞれ０次光ビームＬ２Ａ、＋１次光ビームＬ２Ｂ及び−１次光ビームＬ２Ｃの光路を反対方向へ進む。また反射０次光ビームＬ３Ａ、反射＋１次光ビームＬ３Ｂ及び反射−１次光ビームＬ３Ｃ（以下、これらをまとめて反射光ビームＬ３と呼ぶ）は、それぞれ信号記録層１００Ｓ１において反射された際に円偏光における回転方向が反転されており、それぞれ右円偏光、左円偏光及び左円偏光とされる。
【００４１】
ところで光ディスク１００は、いわゆる多層ディスクでなり、信号記録層１００Ｓ１に加えて信号記録層１００Ｓ０を有している。また信号記録層１００Ｓ１は、光ビームの反射率がある程度（例えば３０％等）に抑えられることにより、当該光ビームの一部を信号記録層１００Ｓ０へ到達させ得るようになされている。
【００４２】
かかる光ディスク１００の構成により、０次光ビームＬ２Ａは、その一部が信号記録層１００Ｓ１において反射され反射０次光ビームＬ３Ａとなる一方、残りの部分が信号記録層１００Ｓ０に到達して反射されることにより、いわゆる層間迷光としての迷光ビームＬ４となり、反射光ビームＬ３と同様の光路を進むことになる。因みに迷光ビームＬ４は、反射０次光ビームＬ３Ａと同様の右円偏光となる。
【００４３】
反射光ビームＬ３及び迷光ビームＬ４は、ともに１／４波長板１７へ入射される。１／４波長板１７は、反射光ビームＬ３及び迷光ビームＬ４をそれぞれ円偏光から直線偏光に変換し、立上ミラー１６により反射させた上でコリメータ１５へ入射させる。
【００４４】
このとき１／４波長板１７は、反射０次光ビームＬ３Ａ及び迷光ビームＬ４をいずれも右円偏光からｓ偏光に変換し、反射＋１次光ビームＬ３Ｂ及び反射−１次光ビームＬ３Ｃをいずれも左円偏光からｐ偏光に変換する。
【００４５】
コリメータ１５は、反射０次光ビームＬ３Ａ及び迷光ビームＬ４を平行光から収束光に変換し、無偏光ビームスプリッタ１４へ入射させる。無偏光ビームスプリッタ１４は、反射透過面１４Ｓにおいて反射０次光ビームＬ３Ａ及び迷光ビームＬ４の一部をそれぞれ反射し、マルチレンズ１９へ入射させる。
【００４６】
マルチレンズ１９は、反射０次光ビームＬ３Ａ及び迷光ビームＬ４に対してフォーカスのずれ度合いを検出するための非点収差をもたせ、それぞれフォトディテクタ２０へ照射する。
【００４７】
フォトディテクタ２０は、図７に示すように、受光領域２０Ａ、２０Ｂ及び２０Ｃが設けられており、反射０次光ビームＬ３Ａにより形成される０次光スポットＱＡ、反射＋１次光ビームＬ３Ｂにより形成される＋１次光スポットＱＢ及び反射−１次光ビームＬ３Ｃにより形成される−１次光スポットＱＣをそれぞれ受光するようになされている。
【００４８】
因みに光ピックアップ７では、光ディスク１００における所望の信号記録層（この場合は信号記録層１００Ｓ１）における所望のトラックに０次光ビームＬ２Ａが合焦しているときに、反射０次光ビームＬ３Ａが受光領域２０Ａの中心部分に合焦するよう、各光学部品が配置されるようになされている。
【００４９】
さらに受光領域２０Ａ、２０Ｂ及び２０Ｃは、それぞれ格子状に４つの分割受光領域に分割されており、各分割受光領域において光電変換処理を行うことによりそれぞれの受光量に応じた電気信号（以下、これを検出信号ＳＤと呼ぶ）を生成し、当該検出信号ＳＤを信号処理部４（図１）へ供給する。
【００５０】
これに応じて信号処理部４は、供給された検出信号ＳＤを用いた所定の演算処理を行うことにより、０次光ビームＬ２Ａの焦点と光ディスク１００の信号記録層１００Ｓ１における所望トラックとの間の、フォーカス方向及びトラッキング方向に関するずれ量を表すフォーカスエラー信号及びトラッキングエラー信号を生成し、これらを駆動部３へ供給する。
【００５１】
駆動部３は、供給されたフォーカスエラー信号及びトラッキングエラー信号を基に、対物レンズ９を駆動するための駆動信号を生成し、これを２軸アクチュエータ８へ供給する。光ピックアップ７は、この駆動信号に基づいて２軸アクチュエータ８を駆動することにより、対物レンズ９により集光される０次光ビームＬ２Ａの焦点を所望のトラックへ追従させるようになされている。
【００５２】
（３）迷光による影響の排除
ところでフォトディテクタ２０には、上述した０次光スポットＱＡ、＋１次光スポットＱＢ及び−１次光スポットＱＣに加えて、迷光ビームＬ４による迷光スポットＲも形成される。この迷光スポットＲは、図６に示したように、光ディスク１００において０次光ビームＬ２Ａの一部が信号記録層１００Ｓ１を透過し信号記録層１００Ｓ０に到達して反射されることにより生成される。
【００５３】
このときフォトディテクタ２０には、迷光ビームＬ４が信号記録層１００Ｓ１を透過したときの状態（すなわちビームの径や光量等）に応じて迷光スポットＲが形成されることになる。すなわち迷光スポットＲは、迷光ビームＬ４が信号記録層１００Ｓ１を透過する際にいわゆるデフォーカス状態となるため、０次光スポットＱＡと比較して径が大きくなるものの、単位面積当たりの光量は低下することになる。
【００５４】
例えばフォトディテクタ２０では、図７に示したように、迷光スポットＲが０次光スポットＱＡ、＋１次光スポットＱＢ及び−１次光スポットＱＣと重なるように形成される可能性がある。
【００５５】
一方、＋１次光ビームＬ２Ｂ及び−１次光ビームＬ２Ｃは、上述したように、０次光ビームＬ２Ａと比較して光量が少ない。このため＋１次光スポットＱＢ及び−１次光スポットＱＣは、０次光スポットＱＡよりも光強度が弱くなる。
【００５６】
この結果、フォトディテクタ２０の受光領域２０Ｂ及び２０Ｃでは、＋１次光スポットＱＢ及び−１次光スポットＱＣと迷光スポットＲとが比較的近い光強度となる。一般に、このような場合、＋１次光スポットＱＢ又は−１次光スポットＱＣと迷光スポットＲとが重なる部分においては、干渉により、図８に示すような干渉縞が生じる可能性がある。
【００５７】
かかる干渉縞は、光ディスク１００における信号記録層１００Ｓ０及び１００Ｓ１の間隔（すなわち層間隔）が不均一である場合、当該層間厚の変動に連れてそのパターンが変動することになる。これによりフォトディテクタ２０の受光領域２０Ｂ及び２０Ｃでは、各分割受光領域における受光量が変動してしまう。
【００５８】
ここで、−１次光スポットＱＣを受光して得られる検出信号ＳＤを基に得られるサイドプッシュプル信号ＳＰＰは、本来図９（Ｂ）に示すような波形となるべきところ、このような干渉縞の変動が生じる場合、図９（Ａ）又は図９（Ｃ）に示すように、その波形（すなわち信号レベル）も変動してしまう。この結果、上述したフォーカスエラー信号やトラッキングエラー信号も変動することになってしまう。
【００５９】
しかしながら、本発明による光ピックアップ７では、反射＋１次光ビームＬ３Ｂ及び反射−１次光ビームＬ３Ｃはいずれもｐ偏光でなり、迷光ビームＬ４はｓ偏光でなる。すなわちフォトディテクタ２０の受光領域２０Ｂ及び２０Ｃでは、互いの偏光方向が異なるため、＋１次光スポットＱＢ及び−１次光スポットＱＣと迷光スポットＲとの干渉を殆ど生じさせることがない。
【００６０】
この結果、フォトディテクタ２０の受光領域２０Ｂ及び２０Ｃでは、迷光スポットＲとの干渉の影響を受けることなく、各分割受光領域において＋１次光スポットＱＢ及び−１次光スポットＱＣを受光し検出信号ＳＤを生成することができる。
【００６１】
これに応じて信号処理部４（図１）は、迷光スポットＲによる影響を受けることなく、図９（Ｂ）に示したような正常なサイドプッシュプル信号ＳＰＰを生成することができ、高精度なフォーカスエラー信号及びトラッキングエラー信号を生成することができる。
【００６２】
このように光ピックアップ７では、反射＋１次光ビームＬ３Ｂ及び反射−１次光ビームＬ３Ｃと迷光ビームＬ４との偏光方向を相違させることにより、受光領域２０Ｂ及び２０Ｃにおける干渉縞の発生を抑制するようになされている。
【００６３】
（４）動作及び効果
以上の構成において、光ディスク装置１は、光ピックアップ７において、偏光回折素子１３（図４）により光ビームＬ１をｐ偏光でなる０次光ビームＬ２Ａと、ｓ偏光でなる＋１次光ビームＬ２Ｂ及び−１次光ビームＬ２Ｃとに分光して光ディスク１００に照射し、このとき光ディスク１００の信号記録層１００Ｓ１により反射されてなる反射０次光ビームＬ３Ａ、反射＋１次光ビームＬ３Ｂ及び反射−１次光ビームＬ３Ｃをフォトディテクタ２０の受光領域２０Ａ、２０Ｂ及び２０Ｃによりそれぞれ受光すると共に、０次光ビームＬ２Ａが信号記録層１００Ｓ０により反射されてなる迷光ビームＬ４についても受光領域２０Ａ、２０Ｂ及び２０Ｃにより受光する。
【００６４】
このとき光ピックアップ７は、偏光回折素子１３によって、＋１次光ビームＬ２Ｂ及び−１次光ビームＬ２Ｃと０次光ビームＬ２Ａとの偏光方向が互いに相違するよう分光することにより、フォトディテクタ２０に照射される反射＋１次光ビームＬ３Ｂ及び反射−１次光ビームＬ３Ｃと、迷光ビームＬ４との偏光方向を互いに相違させることができる。
【００６５】
この結果、光ピックアップ７は、フォトディテクタ２０の受光領域２０Ｂ及び２０Ｃにおいて、＋１次光スポットＱＢ及び−１次光スポットＱＣと迷光パターンＲとによる干渉縞を生じさせずに済み、＋１次光スポットＱＢ及び−１次光スポットＱＣの受光結果が精度良く反映された検出信号ＳＤを生成することができる。
【００６６】
これにより光ディスク装置１は、信号処理部４（図１）において、光ディスク１００における層間厚の変化等により不要に変動されることのないサイドプッシュプル信号ＳＰＰ（図９（Ｂ））を得ることができ、迷光パターンＲの影響を排除したフォーカスエラー信号及びトラッキングエラー信号を生成することができる。すなわち光ディスク装置１は、当該フォーカスエラー信号及びトラッキングエラー信号を基に、駆動部３によって対物レンズ９に対する高精度なフォーカス制御及びトラッキング制御を行うことができる。
【００６７】
特に光ピックアップ７は、偏光回折素子１３により＋１次光ビームＬ２Ｂ及び−１次光ビームＬ２Ｃと０次光ビームＬ２Ａとの偏光方向を互いに相違させることができ、これにより反射＋１次光ビームＬ３Ｂ及び反射−１次光ビームＬ３Ｃと、迷光ビームＬ４との偏光方向を互いに相違させることができる。このため光ピックアップ７は、例えばフォトディテクタ２０を複数設け、或いは専用の受光領域を設けて迷光スポットＲの光量を検出し、演算処理等により当該迷光スポットＲによる影響を除去する場合と比較して、構成を簡易化することができ、演算処理量を増加させずに済む。
【００６８】
また光ピックアップ７は、１／２波長板１２によって光ビームＬ１の偏光方向を回転させることにより、偏光回折素子１３により分光される０次光ビームＬ２Ａと＋１次光ビームＬ２Ｂ及び−１次光ビームＬ２Ｃとの光量比を調整することができるので、当該偏光回折素子１３において偏光方向に応じた回折をするだけで良く、例えば偏光回折素子１３の格子部１３Ｂに所定の透過率でなるフィルタ膜を形成するといった複雑な構成にする必要がない。
【００６９】
以上の構成によれば、光ディスク装置１は、偏光回折素子１３により＋１次光ビームＬ２Ｂ及び−１次光ビームＬ２Ｃと０次光ビームＬ２Ａとの偏光方向を互いに相違させて反射＋１次光ビームＬ３Ｂ及び反射−１次光ビームＬ３Ｃと迷光ビームＬ４との偏光方向を互いに相違させることにより、受光領域２０Ｂ及び２０Ｃにおける＋１次光スポットＱＢ又は−１次光スポットＱＣと迷光パターンＲとによる干渉縞の発生を未然に防止することができ、迷光パターンＲの影響が排除され＋１次光スポットＱＢ及び−１次光スポットＱＣの光量が高精度に反映された検出信号ＳＤを生成することができ、高精度なフォーカス制御及びトラッキング制御を行うことができる。
【００７０】
（５）他の実施の形態
なお上述した実施の形態においては、１／２波長板１２（図２）によって光ビームＬ１の偏光方向を回転させることにより、偏光回折素子における０次光ビームＬ２Ａと＋１次光ビームＬ２Ｂ及び−１次光ビームＬ２Ｃとの光量比を調整するようにした場合について述べたが、本発明はこれに限らず、例えばレーザダイオード１１の取付角度を調整することにより、当該光量比を調整するようにしても良い。
【００７１】
また上述した実施の形態においては、光ディスク１００が２つの信号記録層１００Ｓ０及び１００Ｓ１を有する、いわゆる２層の光ディスクでなる場合について述べたが、本発明はこれに限らず、３層以上の光ディスク（いわゆる多層ディスク）に光ビームを照射してその反射光を受光する場合に本発明を適用しても良い。この場合も、偏光回折素子１３により＋１次光ビームＬ２Ｂ及び−１次光ビームＬ２Ｃと０次光ビームＬ２Ａとの偏光方向を互いに相違させることにより、反射＋１次光ビームＬ３Ｂ及び反射−１次光ビームＬ３Ｃと、各迷光ビームとの偏光方向を互いに相違させていればよい。
【００７２】
さらに上述した実施の形態においては、偏光回折素子１３の回折作用により＋１次光ビームＬ２Ｂ及び−１次光ビームＬ２Ｃを生成するようにした場合について述べたが、本発明はこれに限らず、例えば−１次光ビームＬ２Ｃを生成せずに＋１次光ビームＬ２Ｂのみを生成するようにしても良い。この場合、反射＋１次光ビームＬ３Ｂ及び反射０次光ビームＬ３Ａを受光したときの検出信号ＳＤを基に、信号処理部４においてフォーカスエラー信号やトラッキングエラー信号等を生成すればよい。
【００７３】
さらに上述した実施の形態においては、光ディスク装置１がBlu-ray Disc（登録商標）方式の光ディスク１００に対して情報の記録又は再生を行うようにした場合について述べたが、本発明はこれに限らず、例えばＤＶＤやＨＤ  ＤＶＤ（High Density Digital Versatile Disc、登録商標）等の、２層以上の記録層を有する種々の方式の光ディスクに対して情報の記録又は再生を行う場合に適用しても良い。この場合、情報の記録又は再生に用いる光ビームＬ１の波長に応じて偏光回折素子１３における格子間隔等を調整すればよい。
【００７４】
さらに上述した実施の形態においては、光ディスク装置１が光ディスク１００に対し情報の記録及び再生の両方を行い得るようにした場合について述べたが、本発明はこれに限らず、当該光ディスク１００に対して情報の記録のみを行い、又は当該情報の再生のみを行うようにしても良い。
【００７５】
さらに上述した実施の形態においては、回折素子としての偏光回折素子１３と、対物レンズとしての対物レンズ９と、受光部としてのフォトディテクタ２０とによって光ピックアップとしての光ピックアップ７を構成する場合について述べたが、本発明はこれに限らず、その他種々の構成でなる回折素子と、対物レンズと、受光部とによって光ピックアップを構成するようにしても良い。
【００７６】
さらに上述した実施の形態においては、回折素子としての偏光回折素子１３と、対物レンズとしての対物レンズ９と、受光部としてのフォトディテクタ２０と、位置制御手段としての制御部２、信号処理部４及び駆動部３とによって光ディスク装置としての光ディスク装置１を構成する場合について述べたが、本発明はこれに限らず、その他種々の構成でなる回折素子と、対物レンズと、受光部と位置制御手段とによって光ディスク装置を構成するようにしても良い。
【産業上の利用可能性】
【００７７】
本発明は、例えば大容量のデータを記録及び再生する光ディスク装置及びその光ピックアップで利用することができる。
【図面の簡単な説明】
【００７８】
【図１】光ディスク装置の全体構成を示す略線図である。
【図２】光ピックアップの構成を示す略線図である。
【図３】偏光回折素子の構成を示す略線的斜視図である。
【図４】偏光回折素子による光ビームの回折の説明に供する略線図である。
【図５】信号記録層に形成されるスポットの様子を示す略線図である。
【図６】光ディスクによる光ビームの反射の説明に供する略線図である。
【図７】フォトディテクタに形成されるスポットの様子を示す略線図である。
【図８】干渉縞の様子を示す略線図である。
【図９】サイドプッシュプル信号の変動の説明に供する略線図である。
【符号の説明】
【００７９】
１……光ディスク装置、２……制御部、３……駆動部、４……信号処理部、７……光ピックアップ、９……対物レンズ、１１……レーザダイオード、１３……偏光回折素子、１４……無偏光ビームスプリッタ、１００……光ディスク、１００Ｓ０、１００Ｓ１……信号記録層、Ｌ１……光ビーム、Ｌ２Ａ……０次光ビーム、Ｌ２Ｂ……＋１次光ビーム、Ｌ２Ｃ……−１次光ビーム、Ｌ３Ａ……反射０次光ビーム、Ｌ３Ｂ……反射＋１次光ビーム、Ｌ３Ｃ……反射−１次光ビーム、Ｌ４……迷光ビーム。
【図１】
2008257814.tif 000003
【図２】
2008257814.tif 000004
【図３】
2008257814.tif 000005
【図４】
2008257814.tif 000006
【図５】
2008257814.tif 000007
【図６】
2008257814.tif 000008
【図７】
2008257814.tif 000009
【図９】
2008257814.tif 000010
【図８】
2008257814.tif 000011